(57)【要約】【課題】異常電波を予め把握することを要さない通知システム、通知装置、通知方法、及び通知プログラムを提供する。【解決手段】通知システム１は、周囲環境における不審電波の有無を判断し、判断結果を自動的に通知する通知システム１であって、周囲環境における電波を検知する電波検知部１００と、周囲環境の初期状態における電波の状況を示す電波情報を格納する環境情報格納部４００と、電波検知部１００が検知した電波の特徴を示す特徴情報と、環境情報格納部４００が格納している電波情報とを比較し、比較結果が予め定められた複数の通知レベルのいずれに対応するかを判断する判断部１０６と、判断部１０６の判断結果を通知する通知部１１０とを備える。【選択図】図１
2017004180.tif 000002
【特許請求の範囲】
【請求項１】
周囲環境における不審電波の有無を判断し、判断結果を自動的に通知する通知システムであって、
前記周囲環境における電波を検知する電波検知部と、
前記周囲環境の初期状態における前記電波の状況を示す電波情報を格納する環境情報格納部と、
前記電波検知部が検知した前記電波の特徴を示す特徴情報と、前記環境情報格納部が格納している前記電波情報とを比較し、比較結果が予め定められた複数の通知レベルのいずれに対応するかを判断する判断部と、
前記判断部の判断結果を通知する通知部と
を備える通知システム。
【請求項２】
前記電波検知部が前記電波を検知した場合、前記電波検知部の動作を停止させ、前記電波検知部が前記電波を検知しない場合、予め定められた周波数範囲内の電波の検知を前記電波検知部に継続させる検知制御部
を更に備え、
前記判断部が、前記電波検知部の検知動作を前記検知制御部が停止させた場合、前記複数の通知レベルのいずれに前記比較結果が対応するかを判断する請求項１に記載の不審電波通知システム。
【請求項３】
前記複数の通知レベルが、前記電波検知部が前記電波を検知した時点から予め定められた時間が経過した後に前記電波が消滅した場合における第１通知レベル、及び前記時点から前記時間が経過した後に前記電波が継続的に存在している場合における第２通知レベルを含む請求項１又は２に記載の通知システム。
【請求項４】
前記検知制御部が前記電波検知部の検知動作を停止させた場合、前記電波検知部が検知した前記電波の電界強度を測定する電界強度測定部
を更に備え、
前記環境情報格納部が、前記周囲環境の前記初期状態における前記電波情報として、前記初期状態において前記電波検知部が検知した前記電波の前記電波情報を格納すると共に、前記電界強度測定部が測定した前記電界強度を示す電界強度情報を前記電波情報に対応付けて格納する請求項２又は３に記載の通知システム。
【請求項５】
前記周囲環境内に設置されている人感センサーが感知した結果を示すセンサー情報を取得するセンサー情報取得部
を更に備え、
前記通知レベルが、前記電波検知部が前記電波を検知した時点から予め定められた前記時間が経過した後、前記電波が継続的に存在しており、かつ、前記時点において前記センサー情報取得部が取得した前記センサー情報が前記周囲環境に動体が存在していることを示す場合における第３通知レベルを含む請求項１〜４のいずれか１項に記載の通知システム。
【請求項６】
周囲環境における不審電波の有無を判断し、判断結果を自動的に通知する通知装置であって、
前記周囲環境における電波を検知する電波検知部と、
前記周囲環境の初期状態における前記電波の状況を示す電波情報と、前記電波検知部が検知した前記電波の特徴を示す特徴情報とを比較し、予め定められた複数の通知レベルのいずれに対応するかを判断する判断部と、
前記判断部の判断結果を通知する通知部と
を備える通知装置。
【請求項７】
周囲環境における不審電波の有無を判断し、判断結果を自動的に通知する通知方法であって、
前記周囲環境における電波を検知する電波検知段階と、
前記電波検知段階において検知された前記電波の特徴を示す特徴情報と、前記周囲環境の初期状態における前記電波の状況を示す電波情報を格納する環境情報格納部が格納している前記電波情報とを比較し、比較結果が予め定められた複数の通知レベルのいずれに対応するかを判断する判断段階と、
前記判断段階における判断結果を通知する通知段階と
を備える通知方法。
【請求項８】
周囲環境における不審電波の有無を判断し、判断結果を自動的に通知する通知システム用の通知プログラムであって、
コンピューターに、
前記周囲環境における電波を検知する電波検知機能と、
前記電波検知機能が検知した前記電波の特徴を示す特徴情報と、前記周囲環境の初期状態における前記電波の状況を示す電波情報を格納する環境情報格納部が格納している前記電波情報とを比較し、比較結果が予め定められた複数の通知レベルのいずれに対応するかを判断する判断機能と、
前記判断機能における判断結果を通知する通知機能と
を実現させる通知プログラム。
【発明の詳細な説明】
【技術分野】
【０００１】
本発明は、通知システム、通知装置、通知方法、及び通知プログラムに関する。特に、本発明は、盗撮器及び／又は盗聴器の有無について軽重をつけた通知ができる通知システム、通知装置、通知方法、及び通知プログラムに関する。
【背景技術】
【０００２】
従来、施設空間の電波安全性や安心性を調査するものであって、ビデオカメラで人間の動きを記録し、この記録と時間同期した電波探索装置が到来電波の周波数を決定し、アンテナで発生した実電波データと電波データベースにある通常電波データと比較し、これらが互いに相違した場合、事前に登録してある異常電波データベースから電波データを割り出して実電波データ中の映像信号や音声信号を分析し、インターネットを介して外部へ送出するインターネットを利用した盗聴器・隠しカメラの検知方法が知られている（例えば、特許文献１参照。）。特許文献１に記載のインターネットを介して外部へ送出するインターネットを利用した盗聴器・隠しカメラの検知方法によれば、ビデオカメラと組み合わせて、一般個人や小規模の事業主らも簡単に使用できる盗聴器・隠しカメラの検知方法を提供できる。
【先行技術文献】
【特許文献】
【０００３】
【特許文献１】特開２００９−３０１５２１号公報
【発明の概要】
【発明が解決しようとする課題】
【０００４】
しかし、特許文献１に記載されているインターネットを介して外部へ送出するインターネットを利用した盗聴器・隠しカメラの検知方法においては、異常電波を事前に登録することを要するので、異常電波のすべてを予め把握しておかないと、ユーザーに警報を発することはできない。
【０００５】
したがって、本発明の目的は、異常電波を予め把握することを要さない通知システム、通知装置、通知方法、及び通知プログラムを提供することにある。
【課題を解決するための手段】
【０００６】
本発明は、上記目的を達成するため、周囲環境における不審電波の有無を判断し、判断結果を自動的に通知する通知システムであって、周囲環境における電波を検知する電波検知部と、周囲環境の初期状態における電波の状況を示す電波情報を格納する環境情報格納部と、電波検知部が検知した電波の特徴を示す特徴情報と、環境情報格納部が格納している電波情報とを比較し、比較結果が予め定められた複数の通知レベルのいずれに対応するかを判断する判断部と、判断部の判断結果を通知する通知部とを備える通知システムが提供される。
【０００７】
また、上記通知システムにおいて、電波検知部が電波を検知した場合、電波検知部の動作を停止させ、電波検知部が電波を検知しない場合、予め定められた周波数範囲内の電波の検知を電波検知部に継続させる検知制御部を更に備え、判断部が、電波検知部の検知動作を検知制御部が停止させた場合、複数の通知レベルのいずれに比較結果が対応するかを判断することもできる。
【０００８】
また、上記通知システムにおいて、複数の通知レベルが、電波検知部が電波を検知した時点から予め定められた時間が経過した後に電波が消滅した場合における第１通知レベル、及び時点から時間が経過した後に電波が継続的に存在している場合における第２通知レベルを含むこともできる。
【０００９】
また、上記通知システムにおいて、検知制御部が電波検知部の検知動作を停止させた場合、電波検知部が検知した電波の電界強度を測定する電界強度測定部を更に備え、環境情報格納部が、周囲環境の初期状態における電波情報として、初期状態において電波検知部が検知した電波の電波情報を格納すると共に、電界強度測定部が測定した電界強度を示す電界強度情報を電波情報に対応付けて格納することもできる。
【００１０】
また、上記通知システムにおいて、周囲環境内に設置されている人感センサーが感知した結果を示すセンサー情報を取得するセンサー情報取得部を更に備え、通知レベルが、電波検知部が電波を検知した時点から予め定められた時間が経過した後、電波が継続的に存在しており、かつ、時点においてセンサー情報取得部が取得したセンサー情報が周囲環境に動体が存在していることを示す場合における第３通知レベルを含むこともできる。
【００１１】
また、本発明は上記目的を達成するため、周囲環境における不審電波の有無を判断し、判断結果を自動的に通知する通知装置であって、周囲環境における電波を検知する電波検知部と、周囲環境の初期状態における電波の状況を示す電波情報と、電波検知部が検知した電波の特徴を示す特徴情報とを比較し、予め定められた複数の通知レベルのいずれに対応するかを判断する判断部と、判断部の判断結果を通知する通知部とを備える通知装置が提供される。
【００１２】
また、本発明は上記目的を達成するため、周囲環境における不審電波の有無を判断し、判断結果を自動的に通知する通知方法であって、周囲環境における電波を検知する電波検知段階と、電波検知段階において検知された電波の特徴を示す特徴情報と、周囲環境の初期状態における電波の状況を示す電波情報を格納する環境情報格納部が格納している電波情報とを比較し、比較結果が予め定められた複数の通知レベルのいずれに対応するかを判断する判断段階と、判断段階における判断結果を通知する通知段階とを備える通知方法が提供される。
【００１３】
また、本発明は上記目的を達成するため、周囲環境における不審電波の有無を判断し、判断結果を自動的に通知する通知システム用の通知プログラムであって、コンピューターに、周囲環境における電波を検知する電波検知機能と、電波検知機能が検知した電波の特徴を示す特徴情報と、周囲環境の初期状態における電波の状況を示す電波情報を格納する環境情報格納部が格納している電波情報とを比較し、比較結果が予め定められた複数の通知レベルのいずれに対応するかを判断する判断機能と、判断機能における判断結果を通知する通知機能とを実現させる通知プログラムが提供される。
【発明の効果】
【００１４】
本発明に係る通知システム、通知装置、通知方法、及び通知プログラムによれば、異常電波を予め把握することを要さない通知システム、通知装置、通知方法、及び通知プログラムを提供できる。
【図面の簡単な説明】
【００１５】
【図１】本発明の実施の形態に係る通知システムの概要図である。
【図２】本発明の実施の形態に係る通知システムの機能構成ブロック図である。
【図３】本発明の実施の形態に係る通知システムにおける初期動作のフロー図である。
【図４】本発明の実施の形態に係る通知システムにおける動作のフロー図である。
【図５】本発明の実施の形態に係る通知システムのハードウェア構成図である。
【発明を実施するための形態】
【００１６】
［実施の形態］
図１は、本発明の実施の形態に係る通知システムの概要を示す。
【００１７】
（通知システム１の概要）
本実施の形態に係る通知システム１は、所定の環境を管理する管理者等の許可なく当該所定の環境の状況を撮像、及び／又は録音する装置（例えば、盗撮器、及び／又は盗聴器。好的には盗撮器。）の存在の有無を、当該所定の環境の初期状態における当該所定の環境下の電波の状態と、当該装置から発せられ得る電波による影響によって変化した当該所定の環境下の電波の状態とを比較する。そして、通知システム１は、比較結果に応じた判断結果をユーザーに通知する。
【００１８】
例えば、通知システム１は、所定の環境下における電波を検知して、検知結果と所定の環境の初期状態における電波の状態との比較結果を通知する通知装置１０と、所定の環境の所定の領域を撮像する撮像部２０と、所定の環境の状態を測定するセンサー３０と、通知システム１を制御する制御装置４０とを備える。通知装置１０、撮像部２０、センサー３０、及び制御装置４０は、例えば、スイッチグハブ３等を介して互いに通信可能に接続される。なお、この接続は、有線接続、及び無線接続のいずれでもよい。
【００１９】
更に、通知システム１は、インターネット等のネットワーク５を介して制御装置４０と、情報端末（例えば、情報端末５０、情報端末５２、及び情報端末５４）とを通信可能に接続することもできる。情報端末５０等は、例えば、管理者等のユーザーが有するスマートフォン、携帯電話、及び／又は携帯情報端末等の情報通信端末、並びにノートパソコンやデスクトップパソコン等の通信端末を含む。
【００２０】
具体的に、通知システム１は、通知システム１が設置若しくは配置される地点を含む所定の領域に盗撮器、及び／又は盗聴器が存在するか否かを判断し、ユーザーに通知する。まず、通知システム１は、通知システム１が所定の環境に設置若しくは配置された時点における当該所定の環境における電波の状態を測定する。例えば、通知システム１は、当該所定の環境に存在している電波のキャリア周波数、及び／又は電界強度を測定する。通知システム１は、測定結果を電波情報として格納する。
【００２１】
次に、通知システム１は、予め定められた周波数範囲のスキャンを開始する。なお、当該スキャンは、通知システム１が所定の環境下に設置若しくは配置されて予め定められた時間が経過した後、継続的又は断続的に実行できる。通知システム１は、周波数のスキャンによりキャリア周波数を検知した場合、当該所定の環境下に電波を発する発信源があると判断する。そして、通知システム１は、予め格納してある初期状態における電波情報と、検知したキャリア周波数に関する情報とを比較する。通知システム１は、比較結果が予め定められた複数の通知レベルのいずれに対応するかを自動的に判断する。
【００２２】
複数の通知レベルは、例えば、現在の電波の状態が、初期状態における電波の状態と同一であること、初期状態における電波の状態と相違すること、初期状態における電波の状態との相違が予め定められた基準を満たすこと（若しくは満たさないこと）等に応じて決定されるレベルである。そして、通知システム１は、比較結果に対応する通知レベルを特定して、その特定結果を判断結果として通知する。例えば、通知システム１は、判断結果を情報端末５０等に通知する。
【００２３】
本実施の形態に係る通知システム１は、所定の環境の初期状態における電波の状態と、所定時間が経過した後の当該所定の環境における電波の状態とを比較した結果に基づいて盗撮器及び／又は盗聴器が存在するか否かを判断すると共に、予め複数の通知レベルを設定しておき、判断結果が複数の通知レベルのいずれに対応するかを自動的に判断できる。したがって、通知システム１は、通知の重要性に軽重をつけて管理者等に盗撮器及び／又は盗聴器の存在の有無を通知できる。なお、通知の重要性は、例えば、盗撮器及び／又は盗聴器の存在が確実である場合に重要性が最も高く、当該存在が疑わしい場合は重要性が次に高く、実質的に盗撮器及び／又は盗聴器が存在しない場合は重要性が最も低い等のように段階的に設定できる。
【００２４】
（通知システム１の構成の詳細）
図２は、本実施の形態に係る通知システムの機能構成の一例を示す。
【００２５】
通知システム１は、周囲環境における不審電波の有無を判断し、判断結果を自動的に通知する。ここで、通知システム１は、通知装置１０と、撮像部２０と、センサー３０と、制御装置４０とを備える。具体的に、通知システム１は、周囲環境における電波を検知する電波検知部１００と、周囲環境の初期状態における電波の状況を示す電波情報を格納する環境情報格納部４００と、電波検知部１００が検知した電波の特徴を示す特徴情報と環境情報格納部４００が格納している電波情報とを比較し、比較結果が予め定められた複数の通知レベルのいずれに対応するかを判断する判断部１０６と、判断部１０６の判断結果を外部に通知する通知部１１０とを備える。
【００２６】
通知装置１０は、電波検知部１００と、判断部１０６と、通知部１１０と、電波検知部１００の電波を検知する動作である検知動作を制御する検知制御部１０８と、電波の電界強度を測定する電界強度測定部１０２とを有して構成される。また、制御装置４０は、環境情報格納部４００と、通知システム１の動作等を制御する制御部４０２と、ネットワーク５を介して所定の情報を情報端末５０等に出力する出力部４０４とを有して構成される。なお、本実施の形態において環境情報格納部４００は制御装置４０が有しているが、本実施の形態の変形例においては通知装置１０が環境情報格納部４００を有することもできる。
【００２７】
ここで、所定の環境としての周囲環境とは、通知システム１が設置若しくは配置される場所を含む領域であって、電波検知部１００が電波を検知可能な領域である。また、初期状態とは、通知システム１が周囲環境に設置、若しくは配置された時点（すなわち、日時）における当該周囲環境の状態である。そして、特徴情報とは、周囲環境に存在する（若しくは存在していた）電波を識別する情報であって、例えば、当該電波のキャリア周波数、当該電波の電界強度、当該電波の電界強度の時間変化、当該電波が電波検知部１００により検知された時刻、当該電波が電波検知部１００により検知された時点から当該電波が検知されなくなるまでの経過時間等を示す情報を含む。
【００２８】
また、電波情報とは、通知システム１を最初に設置した時点における通知システム１の周囲の環境（周囲環境）に存在する電波の状況を示す情報であって、例えば、電波のキャリア周波数を示すキャリア周波数情報等を含む。また、電界強度情報とは、当該電波の電界強度を示す情報である。そして、不審電波とは、無線式の盗撮器、及び／又は無線式の盗聴器から発せられる電波である。
【００２９】
（撮像部２０）
撮像部２０は、周囲環境、及び／又は周囲環境内の特定の箇所の画像を撮像する。撮像部２０は、静止画、及び／又は動画を撮像できる。この撮像部２０は、例えば、周囲環境を管理する管理者等の正当な権限を有する者が周囲環境に設置する監視カメラである。撮像部２０は、撮像した画像を撮像日時に対応付けて格納する。また、撮像部２０は、撮像した画像を示す情報を制御部４０２に供給する。なお、撮像部２０が撮像した画像は、制御装置４０が画像格納部（図示しない）に撮像日時に対応付けて格納することもできる。
【００３０】
（センサー３０、センサー情報取得部３５）
センサー３０は、周囲環境の状態を感知する。センサー３０は、感知した内容を示す情報をセンサー情報取得部３５に供給する。センサー３０は、例えば、赤外線センサー、超音波センサー等であって、周囲環境内に人物等の動体の存在の有無を把握する人感センサーである。
【００３１】
センサー情報取得部３５は、周囲環境内に設置されているセンサー３０が感知した結果を示すセンサー情報を取得する。センサー情報取得部３５は、取得したセンサー情報を判断部１０６に供給する。
【００３２】
（電波検知部１００、検知制御部１０８）
電波検知部１００は、周囲環境に存在する電波を検知する。電波検知部１００は、予め定められた周波数範囲に含まれる周波数（キャリア周波数）の電波が存在しているか否かを検知する。電波検知部１００は、周囲環境にキャリア周波数が存在していることを検知した場合、当該キャリア周波数を識別する情報と共に、当該キャリア周波数に対応する電波を検知した日時を示す情報等、当該キャリア周波数に対応する電波に関する情報を併せて取得することもできる。電波検知部１００は、電波を検知した場合、検知した電波の特徴情報を判断部１０６、及び環境情報格納部４００に供給する。
【００３３】
検知制御部１０８は、電波検知部１００が電波を検知した場合、電波検知部１００の動作を停止させる。また、検知制御部１０８は、電波検知部１００が電波を検知しない場合、予め定められた周波数範囲内の電波の検知を電波検知部１００に継続させる。なお、検知制御部１０８は、電波検知部１００が電波を検知した場合であっても、電波検知部１００の動作を停止させずに継続させる制御もできる。
【００３４】
（電界強度測定部１０２）
電界強度測定部１０２は、検知制御部１０８が電波検知部１００の検知動作を停止させた場合、電波検知部１００が検知した電波の電界強度を測定する。電界強度測定部１０２は、測定した電界強度を示す電界強度情報を環境情報格納部４００に供給する。
【００３５】
（判断部１０６）
判断部１０６は、特徴情報と環境情報格納部４００が格納している電波情報とを比較して、比較結果が予め定められた複数の通知レベルのいずれに対応するかを判断する。判断部１０６は、電波検知部１００の検知動作を検知制御部１０８が一時的に停止させている間に、複数の通知レベルのいずれに比較結果が対応するかを判断する。各通知レベルには１つ以上の判断基準が対応付けられている。判断部１０６は、比較結果と各通知レベルに対応付けられている判断基準とを照合して、判断基準を満たす通知レベルを選択する。
【００３６】
ここで、本実施の形態では複数の通知レベル（例えば、第１通知レベルから第ｎ通知レベル。ただし、ｎは正の整数。）を設定できる。まず、第１通知レベルは、電波検知部１００が電波を検知した時点（すなわち、時刻を含む日時）から予め定められた時間が経過した後に電波が消滅したことを示すレベルである。したがって、第１通知レベルにおける判断基準は、環境情報格納部４００に格納されている電波情報で識別できない電波を検知したこと、この電波を検知した時点から一定時間経過後にこの電波が消滅したことの２点である。
【００３７】
また、第２通知レベルは、電波検知部１００が電波を検知した時点から予め定められた時間が経過した後に電波が継続的に存在していることを示すレベルである。したがって、第２通知レベルにおける判断基準は、環境情報格納部４００に格納されている電波情報で識別できない電波を検知したこと、この電波を検知した時点から一定時間経過した後もこの電波が存在していることの２点である。更に、第３通知レベルは、電波検知部１００が電波を検知した時点から予め定められた時間が経過した後、電波が継続的に存在しており、かつ、電波を検知した時点においてセンサー情報取得部３５が取得したセンサー情報が周囲環境に人物等の動体が存在していることを示すレベルである。したがって、第３通知レベルにおける判断基準は、第２通知レベルの判断基準に加え、電波を検知した時点においてセンサー３０が反応したことである。
【００３８】
通知レベルは、例えば、環境情報格納部４００に格納されていないキャリア周波数の電波が検知された場合、当該電波の検知日時、当該電波の検知時間帯、当該電波のキャリア周波数、当該電波の電界強度、当該電波が検知された時間（つまり、存在し続けていた時間）、及び／又はセンサー情報等を組み合わせることにより、様々な段階の通知レベルを設定できる。判断部１０６は、判断結果を示す情報、すなわち、比較結果に対応する通知レベルを示す情報を通知部１１０に供給する。
【００３９】
（通知部１１０）
通知部１１０は、判断部１０６の判断結果を制御部４０２に供給する。すなわち、通知部１１０は、通知レベルを示す情報を制御部４０２に供給する。
【００４０】
（環境情報格納部４００）
環境情報格納部４００は、周囲環境の初期状態における電波情報を格納する。環境情報格納部４００は、周囲環境の初期状態における電波情報として、初期状態において電波検知部１００が検知した電波の電波情報を格納すると共に、電界強度測定部１０２が測定した電界強度を示す電界強度情報を電波情報に対応付けて格納する。環境情報格納部４００は、初期状態において電波検知部１００が電波を検知した日時を示す日時情報に対応付けて電波情報と電界強度情報とを格納することもできる。
【００４１】
（制御部４０２、出力部４０４）
制御部４０２は、情報端末５０等への情報の通知を制御する。具体的に制御部４０２は、通知部１１０から受け取った通知レベルを示す情報に応じ、情報端末５０等に供給する情報を生成する。制御部４０２は、生成した情報を出力部４０４に供給する。出力部４０４は、制御部４０２から受け取った情報を、予め定められた情報端末５０等にネットワーク５を介して供給する。
【００４２】
例えば、制御部４０２は、通知部１１０から受け取った通知レベルに応じて、盗撮器及び／又は盗聴器の存在が高い確率で疑われることを示す警報情報、盗撮器及び／又は盗聴器の存在が警報情報の場合より低い確率で疑われることを示す注意情報、そして、盗撮器及び／又は盗聴器の存在が注意情報の場合より低い確率で疑われること（すなわち、実質的に盗撮器及び／又は盗聴器が存在しないであろうこと）を示す確認情報等を生成する。また、制御部４０２は、警報情報、及び注意情報を生成する場合、電波検知部１００が電波を検知した時点に撮像部２０において撮像された画像、又は当該時点において撮像部２０が撮像した画像を含む画像（つまり、当該時点の画像を中心に、当該画像が撮像された時点の前後の時刻において撮像された画像を含む）を撮像部２０から確認画像として取得する。確認画像は、静止画、又は動画である。なお、制御装置４０が画像格納部を有する場合、制御部４０２は、電波検知部１００が電波を検知した時点の画像、又は当該時点における画像を含む画像を画像格納部から取得する。
【００４３】
制御部４０２は、警報情報若しくは警報情報及び確認画像、注意情報若しくは注意情報及び確認画像、又は確認情報を出力部４０４に供給する。
【００４４】
（情報端末５０等）
情報端末５０等は、出力部４０４から受け取った情報をユーザーに視認可能に出力する。例えば、情報端末５０等は、警報情報を受け取った場合、警報を示す音声、及び／又はテキストデータを出力する。更に、情報端末５０等は、警報情報を受け取った場合、筐体を振動させることもできる。また、情報端末５０等は、注意情報を受け取った場合、注意喚起を示す音声、及び／又はテキストデータを出力する。そして、情報端末５０等は確認情報を受け取った場合は、テキストデータを出力する。また、情報端末５０等は、確認画像を受け取った場合、情報端末５０等が有する表示画面に確認画像を表示させる。
【００４５】
なお、本実施の形態に係る通知システム１の変形例においては、通知装置１０の一部の機能を制御装置４０が有することや、制御装置４０の一部若しくは全部の機能を通知装置１０が有することもできる。
【００４６】
（通知システム１の初期動作の処理の流れの概要）
図３は、本発明の実施の形態に係る通知システムにおける初期動作の処理の流れの一例を示す。具体的には、通知システム１を所定の環境に設置若しくは配置した後、最初に通知システム１を動作させる場合における処理の流れの一例を示す。
【００４７】
まず、通知システム１は、周囲環境の電波を検知する検知動作を開始する（ステップ１０。以下、ステップを「Ｓ」と表す。）。すなわち、電波検知部１００が電波の検知動作を開始する。電波検知部１００が電波を検知した場合（Ｓ１２：ＹＥＳ）、すなわち、キャリア周波数を発見した場合、検知制御部１０８は電波検知部１００の検知動作を停止させる（Ｓ１４）。この場合において電波検知部１００は、検知した電波のキャリア周波数を識別する情報を含む電波情報を環境情報格納部４００に供給すると共に、電波を検知したことを示す信号を電界強度測定部１０２に供給する。
【００４８】
電界強度測定部１０２は、電波検知部１００が電波を検知した場合、当該電波の電界強度を測定する（Ｓ１６）。電界強度測定部１０２は、電界強度を示す電界強度情報を環境情報格納部４００に供給する。そして、環境情報格納部４００は、電波情報と電界強度情報とを電波が検知された日時、及び／又は場所を識別する場所情報に対応付けて格納する（Ｓ１８）。
【００４９】
電波検知部１００が電波を検知しない場合（Ｓ１２：ＮＯ）及び環境情報格納部４００に電波情報及び電界強度情報が格納された場合、検知制御部１０８は、予め定められた周波数範囲のすべてについて電波の検知を実行したか否かを判断する（Ｓ２０）。検知制御部１０８は、予め定められた周波数範囲の電波の検知が終了していないと判断した場合（Ｓ２０：ＮＯ）、電波検知部１００に電波の検知動作を継続させる（Ｓ１２）。一方、検知制御部１０８は、予め定められた周波数範囲のすべてについて電波の検知が完了したと判断した場合（Ｓ２０：ＹＥＳ）、電波検知部１００の検知動作を終了させる。なお、通知システム１は、初期状態における周囲環境に電波が存在していない場合（キャリア周波数を検知しない場合）、環境情報格納部４００に不審電波がないことを示す情報を格納する。これにより、通知システム１は、通知システム１が所定の周囲環境に初めて設置若しくは配置された時点（すなわち、初期状態）における当該周囲環境の電波の状況を示す情報を環境情報格納部４００に格納できる。
【００５０】
なお、通知システム１は、所定の期間ごとに環境情報格納部４００が格納している情報を更新することもできる。これにより、通知システム１は、周囲環境において盗撮器や盗聴器による電波を除く他の電波による電波環境の変化があった場合でも、不審電波を発する機器の存在を適切に把握できる。
【００５１】
（通知システム１の動作の処理の流れの概要）
図４は、本発明の実施の形態に係る通知システムにおける動作の処理の流れの一例を示す。具体的には、通知システム１を所定の環境に設置若しくは配置し、図３で説明した初期動作を完了した後に通知システム１を稼働させた場合における処理の流れの一例を示す。
【００５２】
まず、通知システム１は、周囲環境の電波を検知する検知動作を開始する（Ｓ２２）。すなわち、電波検知部１００が電波の検知動作を開始する。電波検知部１００が電波を検知した場合（Ｓ２４：ＹＥＳ）、電波検知部１００は検知した電波の電波情報を判断部１０６に供給する。そして、検知制御部１０８は電波検知部１００の検知動作を停止させる（Ｓ２６）。判断部１０６は、電波検知部１００から受け取った電波情報と、環境情報格納部４００に格納されている電波情報とを比較して、初期状態からの変化があるか否かを判断する（Ｓ２８）。
【００５３】
判断部１０６は、初期状態からの変化がないと判断した場合（Ｓ２８：ＮＯ）、検知制御部１０８に電波検知部１００の検知動作を継続させる。一方、判断部１０６は、初期状態からの変化があると判断した場合（Ｓ２８：ＹＥＳ）、電波検知部１００から受け取った電波情報と環境情報格納部４００に格納されている電波情報とを比較した比較結果が、予め定められた複数の通知レベルのいずれに対応するかを判断し、対応する通知レベルを選択する（Ｓ３０）。判断部１０６は、選択した通知レベルを示す情報を含む判断結果を通知部１１０に供給する。通知部１１０は、この判断結果を含む情報を制御部４０２に供給する。そして、制御部４０２は、判断部１０６が選択した通知レベルに応じ、情報端末５０等に警報情報等を送信する（Ｓ３２）。
【００５４】
続いて、検知制御部１０８は、例えば、通知装置１０の電源が切断されること等に基づいて、通知システム１の処理を終了するか否かを判断する（Ｓ３４）。検知制御部１０８は、処理を終了しないと判断した場合（Ｓ３４：ＮＯ）、電波検知部１００の検知動作を継続させる。一方、検知制御部１０８は、処理を終了すると判断した場合（Ｓ３４：ＹＥＳ）、電波検知部１００の検知動作を終了させる。
【００５５】
なお、通知システム１が、盗聴器の存在の有無を通知する場合、例えば、以下の処理を実行することもできる。この場合、通知システム１は、盗聴器が用いている電波の周波数の情報を予め格納している。まず、通知システム１は、周囲環境の電波を検知する検知動作を開始する。次に、通知システム１は、予め格納している電波の周波数と検知した電波の周波数とを比較して、予め格納している電波の周波数と一致するか否かを判断する。そして、通知システム１は、一致していると判断した場合、Ｄｕａｌ−Ｔｏｎｅ  Ｍｕｌｔｉ−Ｆｒｅｑｕｅｎｃｙ（ＤＴＭＦ）音を発する。仮に周囲環境に盗聴器が存在している場合、当該盗聴器はこのＤＴＭＦ音を返信する。通信システム１は、盗聴器が返信したＤＴＭＦ音を受信することで、周囲環境に盗聴器が存在していると判断する。通信システム１は、盗聴器が存在していると判断した場合、所定の通知レベルに応じた警報情報等を情報端末５０等に送信する。なお、通信システム１は、盗聴器からＤＴＭＦ音を受信しない場合、再度、電波の検知動作を実行する。
【００５６】
（実施の形態の効果）
本実施の形態に係る通知システム１は、通知システム１が設置若しくは配置された周囲環境の初期状態（つまり、通知システム１が設置若しくは配置された時点における電波の状態）と、通知システム１が設置若しくは配置された後、所定の時間が経過した時点における周囲環境の電波の状態とを比較することができる。そして、通知システム１は、比較した結果が予め定められた複数の通知レベルのいずれに対応するかを判断することができる。これにより、本実施の形態に係る通知システム１は、周囲環境に盗撮器、及び／又は盗聴器が設置されたか否かについて、設置の可能性の高低に応じてユーザーに通知する情報を自動的に変化させることができる。
【００５７】
図５は、本発明の実施の形態に係る通知システムのハードウェア構成の一例を示す。
【００５８】
本発明の実施の形態に係る通知システム１は、ＣＰＵ１５００と、グラフィックコントローラ１５２０と、ＲａｎｄｏｍＡｃｃｅｓｓＭｅｍｏｒｙ（ＲＡＭ）、Ｒｅａｄ−ＯｎｌｙＭｅｍｏｒｙ（ＲＯＭ）及び／又はフラッシュＲＯＭ等のメモリ１５３０と、データを記憶する記憶装置１５４０と、記録媒体からデータを読み込み及び／又は記録媒体にデータを書き込む読込み／書込み装置１５４５と、データを入力する入力装置１５６０と、外部の通信機器とデータを送受信する通信インターフェース１５５０と、ＣＰＵ１５００とグラフィックコントローラ１５２０とメモリ１５３０と記憶装置１５４０と読込み／書込み装置１５４５と入力装置１５６０と通信インターフェース１５５０とを互いに通信可能に接続するチップセット１５１０とを備える。なお、ＣＰＵ１５００等の構成要素は、１つ以上のＣＰＵ等であって、複数のＣＰＵ等を含んで構成することもできる。
【００５９】
チップセット１５１０は、メモリ１５３０と、メモリ１５３０にアクセスして所定の処理を実行するＣＰＵ１５００と、外部の表示装置の表示を制御するグラフィックコントローラ１５２０とを相互に接続することにより、各構成要素間のデータの受渡しを実行する。ＣＰＵ１５００は、メモリ１５３０に格納されたプログラムに基づいて動作して、各構成要素を制御する。グラフィックコントローラ１５２０は、メモリ１５３０内に設けられたバッファ上に一時的に蓄えられた画像データに基づいて、画像を所定の表示装置に表示させる。
【００６０】
また、チップセット１５１０は、記憶装置１５４０と、読込み／書込み装置１５４５と、通信インターフェース１５５０とを接続する。記憶装置１５４０は、通知システム１のＣＰＵ１５００が使用するプログラムとデータとを格納する。記憶装置１５４０は、例えば、フラッシュメモリである。読込み／書込み装置１５４５は、プログラム及び／又はデータを記憶している記憶媒体からプログラム及び／又はデータを読み取って、読み取ったプログラム及び／又はデータを記憶装置１５４０に格納する。読込み／書込み装置１５４５は、例えば、通信インターフェース１５５０を介し、インターネット上のサーバーから所定のプログラムを取得して、取得したプログラムを記憶装置１５４０に格納する。
【００６１】
通信インターフェース１５５０は、通信ネットワークを介して外部の装置とデータの送受信を実行する。また、通信インターフェース１５５０は、通信ネットワークが不通の場合、通信ネットワークを介さずに外部の装置とデータの送受信を実行することもできる。そして、タブレット、マイク等の入力装置１５６０は、所定のインターフェースを介してチップセット１５１０と接続する。
【００６２】
記憶装置１５４０に格納される通知プログラムは、インターネット等の通信ネットワーク、又は磁気記録媒体、光学記録媒体等の記録媒体を介して記憶装置１５４０に提供される。そして、記憶装置１５４０に格納された通知プログラムは、ＣＰＵ１５００により実行される。
【００６３】
通知システム１により実行される通知プログラムは、ＣＰＵ１５００に働きかけて、通知システム１を、図１から図４にかけて説明した通知装置１０、撮像部２０、センサー３０、センサー情報取得部３５、制御装置４０、電波検知部１００、電界強度測定部１０２、判断部１０６、検知制御部１０８、通知部１１０、環境情報格納部４００、制御部４０２、及び出力部４０４として機能させる。
【００６４】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。更に、上記した実施形態の技術的要素は、単独で適用されてもよいし、プログラム部品とハードウェア部品とのような複数の部分に分割されて適用されるようにすることもできる。
【符号の説明】
【００６５】
１  通知システム
３  スイッチングハブ
５  ネットワーク
１０  通知装置
２０  撮像部
３０  センサー
３５  センサー情報取得部
４０  制御装置
５０、５２、５４  情報端末
１００  電波検知部
１０２  電界強度測定部
１０６  判断部
１０８  検知制御部
１１０  通知部
４００  環境情報格納部
４０２  制御部
４０４  出力部
１５００  ＣＰＵ
１５１０  チップセット
１５２０  グラフィックコントローラ
１５３０  メモリ
１５４０  記憶装置
１５４５  読込み／書込み装置
１５５０  通信インターフェース
１５６０  入力装置
【図１】
2017004180.tif 000003
【図２】
2017004180.tif 000004
【図３】
2017004180.tif 000005
【図４】
2017004180.tif 000006
【図５】
2017004180.tif 000007